(57)【要約】【課題】取外し容易な上蓋を有し、電子部品をすべて下半分に内蔵させることができるパソコン筐体、特に電子部品を分類するように保持し、且つ、それらの中の特に取外される可能性がある一部を揃えて取外すことができるパソコン筐体、及びそれを備えたベアボンＰＣを提供しようとすることを目的とする。【解決手段】その上方が開口している筐体本体２０と、上蓋２１と、パソコンの一部の構成部品を保持する状態で筐体本体内に取外し容易に保持される支持フレーム２３とを備えている上、上蓋と筐体本体とは、上下互いに取外し容易に係合しているパソコン筐体２、特に、筐体本体２０が、上蓋の複数の係合手段２１２と、筐体本体の複数の係合手段と対応し、且つ、上蓋が上から正規の位置に置かれると複数の係合手段を受入れて係合することができる複数の係合溝２０３が形成されているパソコン筐体２、及びそれを備えたベアボンＰＣである。【選択図】図１
2007280356.tif 000002
【特許請求の範囲】
【請求項１】
その上方が開口している筐体本体と、
前記筐体本体に該筐体本体の上開口を遮蔽するように付いている上蓋と、
パソコンの一部の構成部品を保持する状態で前記筐体本体内に入れられて、取外し容易に保持されることができる支持フレームとを備え、且つ、
前記上蓋と前記筐体本体とは、上下互いに取外し容易に係合していることを特徴とする、パソコン筐体。
【請求項２】
少なくとも正面壁と左右両壁を有し、且つ上方が開口している筐体本体と、
前記筐体本体に該筐体本体の上開口を遮蔽するように付いている上蓋と、
パソコンの一部の取外し可能性が大である構成部品を保持する状態で前記筐体本体内に入れられて、素手で容易に取外すことができるように保持されることができる支持フレームとを備えているとともに、
前記上蓋の左右両側縁に沿って複数の係合手段が下方へ突起しており、また、前記筐体本体の左右両壁の内面に前記複数の係合手段と対応し、且つ、前記上蓋が上から正規の位置に置かれると前記複数の係合手段を受入れて係合することができる複数の係合溝が形成されていることを特徴とする、パソコン筐体。
【請求項３】
前記上蓋の前縁下面と前記筐体本体の正面壁の上縁とに、それぞれ凹陥部が互いに対称となるように形成してあり、
それにより、前記上蓋が正規な位置に置かれると、その正面に開口が形成されることを特徴とする、請求項２に記載のパソコン筐体。
【請求項４】
前記支持フレームは、データ記憶装置を保持するためのものであって、前記筐体本体内に取付けられたりまたはそれから取外されたりしやすいように構成されていることを特徴とする、請求項３に記載のパソコン筐体。
【請求項５】
前記支持フレームは、データ記憶装置としての光ディスクドライバーとハードディスクドライバーとを上下に保持するためのものであって、前記筐体本体内に前記光ディスクドライバーの光ディスク出入り口が前記正面開口に臨むように取付けられたりまたはそれから取外されたりしやすいように構成されていることを特徴とする、請求項３に記載のパソコン筐体。
【請求項６】
前記支持フレームは、素手で取外されるねじにより前記筐体本体の上縁に取付けられる天板を有し、且つ、前記ねじが取外されると、全体が揃って前記筐体本体から取外されることができるように構成されていることを特徴とする、請求項５に記載のパソコン筐体。
【請求項７】
前記筐体本体は、前記支持フレームを入れる外、また該支持フレームの下方にマザーボードを収納する空間を有するように構成されたことを特徴とする、請求項４乃至請求項６のいずれか一項に記載のパソコン筐体。
【請求項８】
前記筐体本体は、前記支持フレームを入れる外、また該支持フレームの下方に散熱装置付きマザーボードを収納する空間を有するように構成されたことを特徴とする、請求項４乃至請求項６のいずれか一項に記載のパソコン筐体。
【請求項９】
請求項１乃至請求項８のいずれか一項に記載のパソコン筐体に、パソコンの構成部品を入れて構成された、ベアボーンＰＣ。
【請求項１０】
請求項１乃至請求項８のいずれか一項に記載のパソコン筐体にデータ記憶装置と散熱装置付きマザーボードとを該当の位置に取付けてなったベアボーンＰＣ。
【請求項１１】
一つだけの接続装置により、前記データ記憶装置と前記マザーボードとを取外し容易に電気的に接続している、請求項１０に記載のベアボーンＰＣ。
【発明の詳細な説明】
【技術分野】
【０００１】
本発明は、パソコン筐体及びそれを備えたベアボーンＰＣに関する。
【背景技術】
【０００２】
経済の発展による使用物品の豊富化や個人的空間の狭小化につれてオフィスと家庭の作業空間がどんどん混雑するようになり、それに応じて、パソコン（ＰＣ）も日に日に小さくなった。ベアボーンＰＣはその典型例である。ベアボーンＰＣは、コンパクトであって、小さな筐体内にパソコンとして欠かせない色んな電子部品が入れてある。それがために、筐体内のどこかの部品が故障したりまたは他に部品を付け加えようとしたりする場合、そこにアクセスすることが難しくなっている。それに、部品として多種多様あり、それぞれマザーボードと接続しているので、問題の部品にアクセスする時、該問題の部品だけでなく、他の色々部品の接続装置をも動かせる可能性があって、アクセス作業が一層難しくなっている。
【発明の開示】
【発明が解決しようとする課題】
【０００３】
前記パソコン筐体内の部品へのアクセスの問題を解決するために、発明者は、従来のベアボーンＰＣを繰返し取外したり取付けたりして観察した結果、その筐体が上半分と下半分とに分かれている上、電子部品がそれぞれ上下のいずれかに分散して装置されていることに気付いた。あっそうだ、これこそ問題の源であろうと思った。なぜなら、電子部品があっちこっちに分散しているので、いずれかの部品にアクセスするには、当然他の部品が邪魔になって動かせられたり取外されたりしなければならない可能性が大であるからである。この発見に沿って発明者は更に、上半分の代わりに上蓋を有し、電子部品を下半分だけに内蔵させる上、それらを分類し且つそれらの特に取外される可能性がある一部を揃えて取外し容易にさせれば、前記問題点を解消することができる、という発想が頭に浮かんだ。
【０００４】
即ち、本発明は、前記発想に基づくものであって、まず、従来の上半分の代わりに取外し容易な上蓋を有し、電子部品をすべて従来の下半分にあたる部分だけに内蔵させることができるパソコン筐体及びそれを備えたベアボーンＰＣを提供しようとすることを、その第１の目的とする。
【０００５】
本発明は、次に、電子部品を分類するように保持し、且つ、それらの中の特に取外される可能性がある一部を揃えて取外すことができるパソコン筐体及びそれを備えたベアボーンＰＣを提供しようとすることを、その第２の目的とする。
【課題を解決するための手段】
【０００６】
前記目的を達成するために、本発明は、その上方が開口している筐体本体と、前記筐体本体に該筐体本体の上開口を遮蔽するように付いている上蓋と、パソコンの一部の構成部品を保持する状態で前記筐体本体内に入れられて、取外し容易に保持されることができる支持フレームとを備え且つ、前記上蓋と前記筐体本体とは、上下互いに取外し容易に係合しているパソコン筐体、及びそれにパソコンの構成部品を入れて構成されたベアボーンＰＣを提供する。
【０００７】
更に詳しくは、少なくとも正面壁と左右両壁を有し、且つ上方が開口している筐体本体と、前記筐体本体に該筐体本体の上開口を遮蔽するように付いている上蓋と、パソコンの一部の取外し可能性が大である構成部品を保持する状態で前記筐体本体内に入れられて、素手で容易に取外すことができるように保持されることができる支持フレームとを備えているとともに、前記上蓋の左右両側縁に沿って複数の係合手段が下方へ突起しており、また、前記筐体本体の左右両壁の内面に前記複数の係合手段と対応し、且つ、前記上蓋が上から正規の位置に置かれると前記複数の係合手段を受入れて係合することができる複数の係合溝が形成されているパソコン筐体、及びそれにパソコンの構成部品を入れて構成されたベアボーンＰＣを提供する。
【０００８】
更に、前記上蓋の前縁下面と前記筐体本体の正面壁の上縁とに、それぞれ凹陥部が互いに対称となるように形成してあり、それにより、前記上蓋が正規な位置に置かれると、その正面に開口が形成されるように構成してもよい。
【０００９】
更に、前記支持フレームは、データ記憶装置を保持するためのものであって、前記筐体本体内に取付けられたりまたはそれから取外されたりしやすいように構成されているように構成してもよい。
【００１０】
更に、前記支持フレームは、データ記憶装置としての光ディスクドライバーとハードディスクドライバーとを上下に保持するためのものであって、前記筐体本体内に前記光ディスクドライバーの光ディスク出入り口が前記正面開口に臨むように取付けられたりまたはそれから取外されたりしやすいように構成されているように構成してもよい。
【００１１】
更に、前記支持フレームは、素手で取外されるねじにより前記筐体本体の上縁に取付けられる天板を有し、且つ、前記ねじが取外されると、全体が揃って前記筐体本体から取外されることができるように構成されているように構成してもよい。
【００１２】
更に、前記筐体本体は、前記支持フレームを入れる外、また該支持フレームの下方にマザーボードを収納する空間を有するように構成されるように構成してもよい。
【００１３】
更に、前記筐体本体は、前記支持フレームを入れる外、また該支持フレームの下方に散熱装置付きマザーボードを収納する空間を有するように構成されるように構成してもよい。
【発明の効果】
【００１４】
前記構成によるパソコン筐体及びベアボーンＰＣは、その上蓋も、その一部の電子部品、特にその一部の取外し可能性が大である電子部品を載置する支持フレームも取外しされやすいので、前記部品にアクセスしようとする場合、先に前記支持フレームを筐体本体から取外してから、容易にアクセスすることができる。
【発明を実施するための最良の形態】
【００１５】
以下、添付図面を参照して本発明の好適な実施の形態を詳細に説明する。なお、図中、似ている部品には、同一の参照符号を付す。
【００１６】
図１〜図４を参照しながら本発明の実施例であるパソコン筐体２を備えたベアボーンＰＣ１を説明する。図１に示すのは、前記ベアボーンＰＣ１の分解斜視図であり、図２は前記ベアボーンＰＣ１の部分分解斜視図であり、図３は前記ベアボーンＰＣ１の斜視図であり、図４は前記ベアボーンＰＣ１の縦断面図である。
【００１７】
まず、図１〜図４に示すように、前記ベアボーンＰＣ１は、本発明の実施例であるパソコン筐体２にパソコンの構成部品をそれぞれ該当の位置に入れてなったものである。特に、図１を参照するように、パソコン筐体２は、正面壁２０１と左右両壁２０２及び２０２とを有し且つ上下両方及び後方が開口している筐体本体２０と、筐体本体２０に筐体本体２０の上の開口部を遮蔽するようについている上蓋２１と、その本体の後端縁から立ち上がって筐体本体２０の後ろの開口部を遮蔽する後壁となっている立て部２２１を有し且つその本体で筐体本体２０の下の開口部を遮蔽するように筐体本体２０にねじ付けられている底板２２と、パソコンの一部の構成部品を保持しながら筐体本体２０内に入れられている支持フレーム２３とからなっている。それに、立て部２２１には、多数のＵＳＢポートや電源接続手段（図面にみえない）、排熱窓２２１Ａ（図１参照）などが設けられている。
【００１８】
なお、上蓋２１は、左右両側縁２１１及び２１１に沿って複数の係合手段２１２が下方へ突起しており、また、筐体本体２０は、左右両壁２０２、２０２の内面に複数の係合手段２１２と対応し、且つ、上蓋２１が上から正規の位置に置かれると複数の係合手段２１２を受入れて係合することができる複数の係合溝２０３が形成されている。即ち、上蓋２１は、複数の係合手段２１２と複数の係合溝２０３との上下係合により、筐体本体２０に筐体本体２０の上の開口部を遮蔽するようについているので、容易に素手で取外すことができるように形成されている。
【００１９】
さらに、図示のように、支持フレーム２３は、データ記憶装置としての光ディスクドライバー７１とハードディスクドライバー７２とを上下に位置させて保持するためのものであって、素手で取外すことができる複数のねじ２３１Ａにより筐体本体２０の上縁に筐体本体２０の上の開口部を遮蔽するように取付けられている天板２３１と、複数のねじ２３１Ｂにより天板２３１の下面に取付けられている左右２組の立て板２３２、立て板２３３と、前記右立て板２３３の下縁から左の方へ延伸してから下方へ延びていて右平板２３４Ａと右下立て板２３４Ｂとを有するように形成された右下板２３４とからなり、且つ天板２３１の筐体本体２０の上縁への取付用ねじ２３１Ａが取外されると、全体が揃って筐体本体２０から取外されることができるように配置構成されている。即ち、支持フレーム２３は、その天板２３１によって、複数の素手で取外すことができる複数のねじ２３１Ａにより筐体本体２０の上縁にその左右２組の立て板２３２、２３３と右下立て板２３４とが筐体本体２０内にぶら下がるように取付けられているので、筐体本体２０内に素手で取付けられたりまたはそれから取外されたりしやすいようになっている。
【００２０】
それに、特に図1及び図４を参照するとわかるように、右平板２３４Ａと右下立て板２３４Ｂとの間の隅部には、前記排熱窓２２１Ａに臨む空間７４Ａが形成されている。また、支持フレーム２３は、上下の位置関係により光ディスクドライバー７１とハードディスクドライバー７２とをそれぞれ保持している。即ち、左立て板２３２の上側と右立て板２３３とにより左右から、また、右平板２３４Ａにより下から光ディスクドライバー７１を保持しており、また、左立て板２３２の下側と右下立て板２３４Ｂとにより左右からハードディスクドライバー７２を保持している。即ち、支持フレーム２３が筐体本体２０から取外される際、光ディスクドライバー７１とハードディスクドライバー７２とはそれと共に取外すことができる。
【００２１】
特に、図３をも参照して説明すると、上蓋２１の前縁下面と筐体本体２０の正面壁２０１の上縁とに、それぞれ凹陥部２１３と凹陥部２０４とが互いに対称となるように形成してあるので、上下互いに合せてパソコン筐体２の正面に開口２００が形成される。
【００２２】
なお、図１、図３及び図４を参照するとわかるように、支持フレーム２３、特にその左立て板２３２の上側と右立て板２３３とは、筐体本体２０内に光ディスクドライバー７１の光ディスク出入り口７１１が正面開口２００に臨むように配置構成されている。
【００２３】
そして、図示のように、筐体本体２０は、支持フレーム２３を入れられている外、該支持フレーム２３の下方にまた空間があってマザーボード７３を収納している。該マザーボード７３の上面に、散熱装置７４がそこから立ち上がっているが、前記右平板２３４Ａと前記右下立て板２３４Ｂとの間の隅部になった空間７４Ａ内に突入しているので、筐体本体２０空間配置がコンパクトで嵩張っていない。
【００２４】
なお、光ディスクドライバー７１とハードディスクドライバー７２とは、一つだけの接続装置によりマザーボード７３と取外し容易に電気的に接続している（図示せず）。即ち、光ディスクドライバー７１とハードディスクドライバー７２とを支持フレーム２３と共に筐体本体２０から取外しをしようとする際、前記接続装置だけにより光ディスクドライバー７１とハードディスクドライバー７２とをマザーボード７３から容易に取外すことができる。
【００２５】
以上説明した実施例は、あくまでも本発明の技術的内容を明らかにする意図のもとにおいてなされたものであり、本発明はそうした具体例に限定して狭義に解釈されるものではなく、本発明の精神とクレームに述べられた範囲でいろいろと変更して実施できるものである。
【産業上の利用可能性】
【００２６】
叙上のように、本発明によるパソコン筐体及びそれを備えたベアボンＰＣは、取外される可能性が大である一部の電子部品を支持フレームに保持させ、支持フレームの取外しによりそれらを揃えて取外すことができるので、その電子部品へのアクセス作業が、迅速かつ容易である。また、支持フレームに載置されている電子部品は、一つだけの接続装置によりマザーボードと取外し容易に電気的に接続されているので、支持フレームの取外しに際し、電子部品の間の接続を動かすことがない。従って、本発明のパソコン筐体を備えたベアボンＰＣは、補修に非常に便利である。
【図面の簡単な説明】
【００２７】
【図１】図１は本発明のパソコン筐体を備えたベアボンＰＣの実施例の分解斜視図である。
【図２】図２は本発明のパソコン筐体を備えたベアボンＰＣの実施例の部分分解斜視図である。
【図３】図３は本発明のパソコン筐体を備えたベアボンＰＣの実施例の斜視図である。
【図４】図４は本発明のパソコン筐体を備えたベアボンＰＣの実施例の縦断面図である。
【符号の説明】
【００２８】
１      ベアボーンＰＣ
２      パソコン筐体
２０    筐体本体
２１    上蓋
２００  開口
２０１  正面壁
２０２、２０２  左右両壁
２０３  係合溝
２１１、２１１  左右両側縁
２１２  係合手段
２１３、２０４  凹陥部
２３      支持フレーム
２３１    天板
２３１Ａ  ねじ
７１    光ディスクドライバー
７１１  光ディスク出入り口
７２    ハードディスクドライバー
７３    マザーボード
７４    散熱装置
【図１】
2007280356.tif 000003
【図２】
2007280356.tif 000004
【図３】
2007280356.tif 000005
【図４】
2007280356.tif 000006